(57)【特許請求の範囲】
【請求項１】
遊技機の制御をなす制御素子等を搭載の制御基板を格納する収納箱体と、その収納箱体を閉鎖する蓋体で構成の制御箱であって、
前記蓋体に蓋台座を設けると共に、その蓋台座に密着可能な箱台座を収納箱体に設け、
前記蓋台座は蓋係止孔を穿設の蓋底部を有する蓋筒体であり、
前記箱台座は箱係止孔を穿設の箱底部を有する箱筒体であり、
前記蓋筒体に内挿可能な蓋栓には、前記箱係止孔に係止可能な位置に蓋止着部材を形成し、
前記箱筒体に内挿可能な箱栓には、前記蓋係止孔に係止可能な位置に箱止着部材を形成することを特徴とする遊技機の制御箱。
【請求項２】
蓋筒体の上縁部に蓋栓を係止する係止爪を形成し、
箱筒体の下縁部に箱栓を係止する係止爪を形成することを特徴とする請求項１の遊技機の制御箱。
【請求項３】
蓋栓と箱栓は同じ形状であることを特徴とする請求項１又は請求項２の遊技機の制御箱。
【発明の詳細な説明】
【０００１】
【発明の属する技術分野】
本発明は、遊技機（パチンコ機等）の遊技内容を制御する制御基板を格納する制御箱において、蓋体と収納箱体の閉鎖に関する。
【０００２】
【従来の技術】
遊技機（パチンコ機等）には、遊技内容を制御する制御基板を配設の制御箱が着脱自在に取り付けてあり、遊技者に興趣を与えるために、遊技内容の変更を容易としている。
前記制御基板には、ＣＰＵ、ＲＯＭ等の制御素子が配置してあり、とりわけ制御ソフトが記録してある「制御ＲＯＭ」が重要な役割を果たす。そこで、かかる制御ＲＯＭを取り替えて、不正ゲームをしないように、蓋体と収納箱体は、図７（Ｃ）に示すように、所謂、金属製のワンウェイネジで固定している。
【０００３】
尚、このワンウェイネジ４９は、図７（Ａ）に示すように、ネジ頭５０において中心点を挟んで相対する突部（５１ａ、５１ｂ）（５２ａ、５２ｂ）が形成してあると共に、突部５１ａ、５２ａ、５１ｂ、５２ｂの頂部から、時計方向に隣接する突出部５２ａ、５１ｂ、５２ｂ、５１ａまでは傾斜状に各々形成してある。
そこで、ドライバーの先を突出部５１ａ、５１ｂに当てて、時計方向に回すと突出部５１ａ、５１ｂに当って回すことができるが、反時計方向に回すと、傾斜状に沿って突出部に当ることができないので、左には回すことができないように形成してある。
従って、ワンウェイネジ４９で止めると、そのワンウェイネジ４９を緩めて、蓋体１０と収納箱体３０を開口することができない。
【０００４】
しかし、「制御ＲＯＭ」が不正なものと取り替えられているかを検査するために、複数回、蓋体を開くことができる構造が設けてあり、その例として、特開平１０−２１６３２４号公報があり、制御箱の平面を図７（Ｂ）に示す。
この制御箱は蓋体５６と収納箱体５７で構成してあり、蓋体５６と収納箱体５７の各々に突出して切断可能な台座５８（５８ａ〜５８ｄ）、５９（５９ａ〜５９ｄ）、６０（６０ａ〜６０ｄ）を設け、それらの台座５８、５９、６０の１個に前記ワンウェイネジ４９を挿入して閉鎖する。
即ち、例えば、先ず、台座５８ａ、５９ａ、６０ａにワンウェイネジ４９で閉鎖し、蓋体５６を開放するときには、ネジ止めされた台座５８ａ、５９ａ、６０ａを切断し、再度、蓋体５６で閉鎖するときには、他の台座５８ｂ、５９ｂ、６０ｄを使用してワンウェイネジ４９で閉鎖することによって、３回、蓋体５６を開放することができ、その後、閉鎖することができる。
【０００５】
【発明が解決しようとする課題】
前記のように、ワンウェイネジを介して「制御ＲＯＭ」を複数回、取出し可能な制御箱は、台座を製作する必要があると共に、少なくとも、ワンウェイネジで蓋体と収納箱体を閉鎖する作業が必要である。
そこで、本発明は、蓋体と収納箱体を簡便に装着でき、且つ、その閉鎖部を切断しない限り蓋体を開放することができない閉鎖構造を提供するものである。
【０００６】
【課題を解決するための手段】
請求項１の遊技機の制御箱は、遊技機の制御をなす制御素子等を搭載の制御基板を格納する収納箱体３０と、その収納箱３０を閉鎖する蓋体１０で構成してある。又、記蓋体１０には蓋台座３２Ａを設けると共に、収納箱体３０には前記蓋台座３２Ａに密着可能な箱台座３２Ｂが設けてある。
又、蓋台座３２Ａは蓋係止孔３６Ａを穿設の蓋底部３３ａを有する蓋筒体３４ａであり、箱台座３２Ｂは箱係止孔３６Ｂを穿設の箱底部３３ｂを有する箱筒体３４ｂである。
そして、蓋筒体３４ａに内挿可能な蓋栓３８Ａには、箱係止孔３６Ｂに係止可能な位置に蓋止着部材４０ａが形成してある一方、箱筒体３４ｂに内挿可能な箱栓３８Ｂには、蓋係止孔３６Ａに係止可能な位置に箱止着部材４０ｂが形成してある。
そこで、蓋体１０と収納箱体３０を合わせ、蓋栓３８Ａを蓋台座３２Ａの蓋筒体３４ａに内挿すると、蓋止着部材４０ａは蓋挿通孔３５Ａを挿通して、箱係止孔３６Ｂで係止される。一方、箱栓３８Ｂを箱台座３２Ｂの箱筒体３４ｂに内挿すると、箱止着部材４０ｂは箱挿通孔３５Ｂを挿通して、蓋係止孔３６Ａで係止される。
そのため、蓋体１０と収納箱体３０は閉鎖状態になり、蓋止着部材４０ａと箱止着部材４０ｂは、外から触れることができず、蓋体１０を開放することができない。
【０００７】
又、請求項２の制御箱は、蓋筒体３４ａの上縁部に蓋栓３８Ａを係止する係止爪４５を形成し、箱筒体３４ｂの下縁部に箱栓３８Ｂを係止する係止爪４５を形成するものである、
このように、蓋筒体３４ａの上縁部と箱筒体３４ｂの下縁部に係止爪４５を形成すると、蓋栓３８Ａと箱栓３８Ｂの脱抜を防止することができる。
又、請求項３の制御箱に使用する蓋栓３８Ａと箱栓３８Ｂは、同じ形状であるので、一種類を製造することによって経済性に富む。
【０００８】
【発明の実施の形態】
遊技機としてパチンコ機を例にとって説明すると、パチンコ機は遊技球が特定箇所に入賞すると、図柄表示器を介して遊技者にとって有利な大当たり等を生起して多量の景品球を払い出す。
又、本発明の閉鎖構造を適用する例として、蓋体１０と収納箱体３０で構成の制御箱とし、パチンコ機の裏面に取り付けてある制御箱１内には、「制御ＲＯＭ」等を含む種々の電子部品を含む種々の電子部品を搭載の制御基板２１が収納してある。
【０００９】
図１は、よく知られたパチンコ機の裏面図であり、裏面中央には遊技盤の表側に配設の入賞口等に入賞した遊技球を集めて、入賞球処理装置６２で１球毎分離処理させる入賞球集合樋６１が設けてある。この入賞球集合樋６１の左下方には、入賞球や賞品球等のゲーム処理を行う制御素子を搭載の制御基板を内蔵の制御箱１が配設してある。
【００１０】
又、パチンコ機の上部には、排出前の遊技球を貯留しておく貯留タンク６３が設けてあり、その貯留タンク６３から遊技球を二列に整列させて遊技球排出装置６５まで誘導する整列樋６４が設置してある。この整列樋６４には、遊技球の重なりを防止する球ならし器６６が揺動自在に垂設してある。又、前記遊技球排出装置６５から排出の遊技球は流下樋６７を経て供給皿に流出する。又、パチンコ機の上部右側にはターミナル基板６９が取り付けてあり、左下部には遊技球発射装置７０が設けてあって、遊技球を一球毎、発射可能としている。
【００１１】
図２（Ａ）は制御箱１の平面図、図２（Ｂ）は右側面図、図３（Ａ）は制御素子等を配設の制御基板２１、図３（Ｂ）は検査用Ａコネクタ２５、（Ｃ）は検査用Ｂコネクタ２８である。
又、図４は蓋台座３２Ａと箱台座３２Ｂの構成部品図、図５（Ａ）は台座の図２に示すＢ〜Ｂ断面図、（Ｂ）（Ｃ）は他の構造の台座の断面図である。図６（Ａ）は制御箱１のＡ〜Ａ断面図、（Ｂ）（Ｃ）は開口部の拡大図である。
この制御箱１の主要部品は、箱状の蓋体１０と、制御素子を配設の制御基板２１と、その制御基板２１を収納固定する収納箱体３０とで構成する。
【００１２】
制御基板２１には、図３（Ａ）に示すように、ＣＰＵ、ＲＯＭ等の部品が配置してある。そして、ゲーム内容を制御する「制御ＲＯＭ」２６が重要な役割を果たし、その「制御ＲＯＭ」２６の端子と接続可能に、検査用Ａコネクタ（雄）２５がピン２５ｂを介して装着固定してある。
従って、この検査用Ａコネクタ２５に結合可能な検査用Ｂコネクタ（雌）２８（図３（Ｃ））を装着することによって、接続の検査機器（図示略）を介して、「制御ＲＯＭ」２６が不正なものであるか否かの検査を可能にする。
又、制御基板２１には、他の基板と接続する接続端子２７が設けてあると共に、収納箱体３０に固定する孔２２が穿設してある。そして、この制御基板２１は、収納箱体３０に立設の支持棒２９にビス２９ａを介して固定される。
【００１３】
蓋体１０は、硬い透明の合成樹脂等で製作の箱状で、前記開放状の収納箱体３０に重ね合わせ可能に製作され、この蓋体１０の表面には、後記で詳述する、検査用Ａコネクタ２５の接続部２５ａに対応する位置に、開口部１１が形成してあると共に、この開口部１１には、開閉可能な開閉体１３が取り付けてある。
又、この開閉体１３は、曲折可能な柔軟なゴム板やポリプロピレン等の合成樹脂板であり、その端部には松茸（山型）状の止着部材１４が一体に形成してあり、その止着部材１４を蓋体１０の表面側から装着することによって、内側（検査用Ａコネクタ２５側）に曲折可能になっていると共に、その先端部の中央には突起部１５（又は凹溝１６ａ）が設けてある。
又、蓋体１０の表面には、開閉体１３の平面が同一になるように、開閉体１３の厚み分だけ、削ってある。尚、開閉体１３は、前記止着部材１４を設けず、蓋体１０にネジ等で取り付けてもよい。
【００１４】
蓋体１０の開口部１１の縁部には、前記突起部１５が嵌合可能な凹溝１６（又は突起部１５ａ）が形成してあり、開閉体１１の表面に設けてある摘み１７を介して、突起部１５と凹溝１６を嵌合させて開口部１１を閉じると、開閉体１３の閉鎖状態をより堅固に維持でき、ゴミ等の進入防止を図っている。
尚、前記突起部１５と凹溝１６の形成は、図３（Ｂ）とは逆に、図６（Ｃ）に示すように、開閉体１３の先端部の中央に凹溝１６ａを、蓋体１０の開口部１１の端部に突起部１５ａを形成してもよい。
又、前記開口部１１の周縁（４角状等）には、検査用Ａコネクタ２５以外の箇所にドライバー等の挿入や部品の取替えを不可にする、即ち、不正行為を防止するために、隔壁１９が垂設してある。
【００１５】
次に、蓋体１０と収納箱体３０の４隅に設けてある閉鎖具について図４、図５（Ａ）（Ｂ）（Ｃ）を参照して説明する。
この閉鎖具は、蓋体１０を介して収納箱体３０を開放不可にするもので、蓋体１０に突出形成の蓋切断部材３１ａを介して蓋台座３２Ａが、収納箱体３０に突出形成の箱切断部材３１ｂを介して箱台座３２Ｂが形成してある。尚、これらの蓋台座３２Ａの下面と箱台座３２Ｂの上面とは平坦状に接合すると共に、前記蓋切断部材３１ａと箱切断部材３１ｂは容易に切断可能な厚みである。
【００１６】
前記蓋台座３２Ａは、蓋底部３３ａを有する円筒状の蓋筒体３４ａで構成してあり、その蓋底部３３ａには、後述の蓋止着部材４０ａ、箱止着部材４０ｂを挿通し係止可能に、箱挿通孔３５Ｂと箱係止孔３６Ｂに対応して、蓋係止孔３６Ａと蓋挿通孔３５Ａが穿設してある。
又、前記蓋筒体３４ａに内挿可能な円盤状の蓋栓３８Ａには、隙間４１ｂ（図示略）を形成の松茸（山型）状の尖塔部４１を有する蓋止着部材４０ａが一体で形成してある。
尚、前記蓋挿通孔３５Ａは、蓋止着部材４０ａを挿通可能な口径３５ａに形成してあるが、蓋係止孔３６Ａは、箱止着部材４０ｂを挿通可能な口径３６ａと、箱止着部材４０ｂの松茸（山型）状の尖塔部４１が収納可能な大口径３６ｂの２段に形成してある。又、蓋筒体３４ａの上縁部には、後述の蓋栓３８Ａの脱抜を不可能とする係止爪４５が形成してある。
【００１７】
一方、箱台座３２Ｂは、前記蓋台座３２Ａと同形に、箱底部３３ｂを有する円筒状の箱筒体３４ｂで構成してあり、その箱底部３３ｂには、後述の蓋止着部材４０ａと箱止着部材４０ｂを挿通し係止可能に、前記蓋係止孔３６Ａ、蓋挿通孔３５Ａに対応して、箱挿通孔３５Ｂと箱係止孔３６Ｂが穿設してある。
又、箱筒体３４ｂに内挿可能な円盤状の箱栓３８Ｂには、隙間４１ｂを形成の尖塔部４１を有する箱止着部材４０ｂが一体に形成してある。
そして、この箱挿通孔３５Ｂは、箱止着部材４０ｂを挿通可能な口径３５ａに形成してあるが、箱係止孔３６Ｂは、蓋止着部材４０ａを挿通可能な口径３６ａと、蓋止着部材４０ａの松茸（山型）状の尖塔部４１を収納可能な大口径３６ｂの２段に形成してある。又、箱筒体３４ｂの下縁部には、後述の箱栓３８Ｂの脱抜を不可能とする係止爪４５が形成してある。
【００１８】
尚、前記蓋台座３２Ａ、箱台座３２Ｂ、蓋栓３８Ａ、箱栓３８Ｂ等は同じ材質で製作して、廃棄物の再利用の便宜を図っているし、蓋栓３８Ａ（蓋台座３２Ａ）と箱栓３８Ｂ（箱台座３２Ｂ）を同じ形状で製作して、製作コストの経済性を図っている。
又、蓋台座３２Ａと箱台座３２Ｂは、図５（Ａ）に示すように、平坦面に接合する構造であるが、図５（Ｂ）に示すように、蓋台座３２Ａと箱台座３２Ｂに段差４４を設けての接合構造、図５（Ｃ）に示すように傾斜面４８での接合構造にすると、収納箱体３０を蓋体１０で閉鎖するときの位置合わせが容易であると共に、その接合部からドライバー等を挿入して、蓋止着部材４０ａと箱止着部材４０ｂの係止を解くことを防止できる。
【００１９】
次に、前記構成の蓋台座３２Ａ、箱台座３２Ｂに対して、蓋栓３８Ａ、箱栓３８Ｂを用いて蓋体１０と収納箱体３０を閉鎖する操作について説明すると、先ず、蓋体１０と収納箱体３０を合わせる。
これによって、蓋台座３２Ａに形成の蓋挿通孔３５Ａと蓋係止孔３６Ａは、箱台座３２Ｂに形成の箱係止孔３６Ｂと箱挿通孔３５Ｂに対応する。
【００２０】
そして、蓋栓３８Ａを蓋筒体３４ａに挿入すると、蓋止着部材４０ａは、尖塔部４１に形成の隙間４１ａが狭まって、蓋挿通孔３５Ａと箱係止孔３６Ｂを挿通し、箱台座３２Ｂに形成の大口径３６ｂに収納されると共に、尖塔部４１が自由になって、隙間４１ｂが広くなって、尖塔部４１が箱係止孔３６Ｂに係止状態になる。
又、蓋栓３８Ａと同様に、箱栓３８Ｂを箱筒体３４ｂに挿入すると、箱止着部材４０ｂは、尖塔部４１に形成の隙間４１ｂが狭まって、箱挿通孔３５Ｂと蓋係止孔３６Ａを挿通し、蓋台座３２Ａに形成の大口径３６ｂに収納されると、尖塔部４１が自由になって、隙間４１ｂが広くなると共に、尖塔部４１が蓋係止孔３６Ａに係止状態になるので、箱栓３８Ｂを抜くことができない状態になる。
従って、前記蓋栓３８Ａと箱栓３８Ｂによって、蓋台座３２Ａと箱台座３２Ｂは密着接合状態になる。
【００２１】
また、蓋止着部材４０ａの尖塔部４１は箱栓３８Ｂによって、箱止着部材４０ｂの尖塔部４１は蓋栓３８Ａによって、外部から接触できない状態となり、蓋栓３８Ａと箱栓３８Ｂを取り出すことができない。
その結果、蓋体１０と収納箱体３０は、蓋栓３８Ａと箱栓３８Ｂを介して、開放することができない。若し、蓋体１０を開放するときには、蓋切断部材３１ａと箱切断部材３１ｂを切断することになる。
【００２２】
尚、前記構造に於ける蓋切断部材３１ａと箱切断部材３１ｂは、蓋台座３２Ａと箱台座３２Ｂを容易に切断可能に形成すれば、必ずしも設ける必要がないし、蓋栓３８Ａ、蓋止着部材４０ａ等の断面形状は円以外の角状等であってもよい。
又、蓋止着部材４０ａ（蓋挿通孔３５Ａ、箱係止孔３６Ｂ）等の数は、適宜選定可能である。
尚、同じ材質の合成樹脂で製作の制御箱（蓋体１０と収納箱体３０で構成）を廃棄するときには、先ず、蓋台座３２Ａと箱台座３２Ｂを切断すると、その切断分離された蓋台座３２Ａと箱台座３２Ｂは、従来のように金属のワンウエィネジで固定していないので、金属を含有しない樹脂として廃棄処分ができる。又、収納箱体３０内の制御基板２１を取り除くことによって、蓋体１０と収納箱体３０も同じ材質として処分することができる。
【００２３】
前記制御箱１は、制御基板２１を収納箱体３０に支持棒２９とビス２９ａを介して固定し、蓋体１０を被せ、蓋栓３８Ａを蓋筒体３４ａに、箱栓３８Ｂを箱筒体３４ｂに装着することによって、蓋体１０と収納箱体３０は閉鎖状態になり、図１に示すように遊技機の裏面に取り付けられる。
そして、遊技機に取付けた制御箱１内に装着の「制御ＲＯＭ」２６が、不正なものであるか否か検査をするときには、図３（Ｃ）に示す検査用Ｂコネクタ２８を開閉体１３に押し当てながら挿入すると、曲折可能な開閉体１３は、嵌合状態の突起部１５が凹溝１６から離脱して、内側に曲げられて、検査用Ａコネクタ２５に容易に装着できる。
即ち、この検査用Ｂコネクタ２８は、「制御ＲＯＭ」２６に接続されて、検査機器（図示略）を介して「制御ＲＯＭ」が不正なものであるか否かの検査ができる。
【００２４】
そして、検査が終了後には、検査用Ｂコネクタ２８を検査用Ａコネクタ２５から離脱させて、摘み１７をもって、突起部１５と凹溝１６を嵌合させると、開口部１１は開閉体１３によって閉じられ、ゴミ等が入るのを防止できる。
この様に、開閉可能な開閉体１３が取り付けてあるので、検査用Ｂコネクタ２８を挿入するだけで、検査用Ａコネクタ２５に結合できるし、脱着したとき、開閉体１３で開口部の閉鎖ができて、ゴミ等の進入を防止できる。
【００２５】
又、前記開閉体１３を押圧して、開口部１１を開いても、蓋体１０から隔壁１９が設けてあるので、部品交換等ができず、不正行為の防止を図っている。
尚、前記において、制御基板２１に取付けのＡ、Ｂコネクタは、接続可能な対であればよく、雄雌何れであってもよいし、検査用Ａコネクタ２５に接続の制御素子は「制御ＲＯＭ」に限定されないことは言うまでもない。
又、本発明の制御箱１は、開閉体１３を開いてＡ、Ｂコネクタを接続して、複数回、「制御ＲＯＭ」２６の検査ができるので、蓋止着部材４０ａと箱止着部材４０ｂを介して、蓋体１０と収納箱体３０を簡便に閉鎖できる構造は有意義であり、他の箱に適用できることは言うまでもない。
【００２６】
【発明の効果】
請求項１の遊技機の制御箱は、蓋栓３８Ａに形成の蓋止着部材４０ａと箱栓３８Ｂに形成の箱止着部材４０ｂとで、蓋体１０と収納箱体３０を閉鎖し、外部から蓋止着部材４０ａと箱止着部材４０ｂに接触できないので、結合強度の向上と簡便に蓋体を開放することができない。
又、請求項２の制御箱は、蓋筒体３４ａの上縁部と箱筒体３４ｂの下縁部に係止爪４５を形成することによって、蓋栓３８Ａと箱栓３８Ｂの脱抜を防止することができる。
請求項３の制御箱に使用する蓋栓３８Ａと箱栓３８Ｂは、同じ形状であるので、１種類を製造することによって経済性に富む。
【図面の簡単な説明】
【図１】遊技機（パチンコ機）の裏面図である。
【図２】（Ａ）は制御箱の平面図、（Ｂ）は右側面図である。
【図３】（Ａ）は制御素子等を配設の制御基板、（Ｂ）は検査用Ａコネクタ、（Ｃ）は検査用のＢコネクタの図である。
【図４】蓋体と収納箱体の閉鎖具の構成部品図である。
【図５】（Ａ）は台座のＢ〜Ｂ断面図、（Ｂ）（Ｃ）は他の構造の台座の断面図である。
【図６】（Ａ）は制御箱のＡ〜Ａ断面図、（Ｂ）（Ｃ）は開口部の拡大図である。
【図７】（Ａ）はワンウェイネジを示す図、（Ｂ）は従来の制御箱の平面図、（Ｃ）は蓋体と収納箱体をワンウェイネジで固定の断面図である。
【符号の説明】
１０  蓋体
１９  隔壁
２１  制御基板
３０  収納箱体
３２Ａ  蓋台座
３２Ｂ  箱台座
３４ａ  蓋筒体
３４ｂ  箱筒体
３５Ａ  蓋挿通孔
３５Ｂ  箱挿通孔
３６Ａ  蓋係止孔
３６Ｂ  箱係止孔
３８Ａ  蓋栓
３８Ｂ  箱栓
４０ａ  蓋止着部材
４０ｂ  箱止着部材
４５  係止爪
【図１】
0003709773.tif 000002
【図２】
0003709773.tif 000003
【図３】
0003709773.tif 000004
【図４】
0003709773.tif 000005
【図５】
0003709773.tif 000006
【図６】
0003709773.tif 000007
【図７】
0003709773.tif 000008